(57)【要約】【課題】移動経路を投稿したユーザの個人情報を特定することができないように公開することを可能としたログ情報公開システム、ログ情報公開装置、ログ情報公開方法及びコンピュータプログラムを提供する。【解決手段】ユーザが移動した移動経路に関する情報を含むログ情報を取得して他のユーザから閲覧可能に公開するとともに、公開されたログ情報の閲覧を希望する閲覧ユーザがある場合には、該閲覧ユーザの情報を取得し、閲覧ユーザがログ情報の閲覧を制限するユーザに該当するか否か判定し、閲覧ユーザがログ情報の閲覧を制限するユーザに該当すると判定された場合に、地図の縮尺制限を設定して、閲覧ユーザに対して設定された縮尺制限内の縮尺率で移動経路が描画された地図画像を公開するように構成する。【選択図】図１３
2014178260.tif 000002
【特許請求の範囲】
【請求項１】
ユーザが移動した移動経路に関する情報を含むログ情報を取得するログ情報取得手段と、
前記ログ情報として前記移動経路を描画した地図画像を公開する情報公開手段と、
前記情報公開手段により公開された前記ログ情報の閲覧を希望するユーザである閲覧ユーザの情報を取得する閲覧ユーザ情報取得手段と、
前記閲覧ユーザ情報取得手段により取得された前記閲覧ユーザに関する情報に基づいて、前記閲覧ユーザが前記ログ情報の閲覧を制限するユーザに該当するか否か判定する制限判定手段と、
前記制限判定手段によって前記閲覧ユーザが前記ログ情報の閲覧を制限するユーザに該当すると判定された場合に、地図の縮尺制限を設定する制限設定手段と、を有し、
前記情報公開手段は、前記閲覧ユーザに対して前記制限設定手段により設定された縮尺制限内の縮尺率で前記地図画像を公開することを特徴とするログ情報公開システム。
【請求項２】
前記制限設定手段は、地図の縮尺率の上限を設定し、
前記情報公開手段は、前記制限設定手段により設定された縮尺率の上限以下の縮尺率で前記地図画像を公開することを特徴とする請求項１に記載のログ情報公開システム。
【請求項３】
前記情報公開手段は、
前記閲覧ユーザから縮尺変更要求があった場合に、要求された地図の縮尺が前記制限設定手段により設定された縮尺率の上限以下である場合には、要求された縮尺で前記地図画像を公開し、
前記閲覧ユーザから縮尺変更要求があった場合に、要求された地図の縮尺が前記制限設定手段により設定された縮尺率の上限より大きい場合には、前記縮尺率の上限の縮尺で前記地図画像を公開することを特徴とする請求項２に記載のログ情報公開システム。
【請求項４】
前記移動経路のサイズを取得する経路取得手段を有し、
前記移動経路のサイズが所定サイズ以上である場合には、前記制限設定手段により地図の縮尺制限を設定し、
前記移動経路のサイズが所定サイズ未満である場合には、前記制限設定手段による地図の縮尺制限を設定せずに前記移動経路を変更し、前記ログ情報として変更後の前記移動経路を描画した地図画像を公開することを特徴とする請求項１乃至請求項３のいずれかに記載のログ情報公開システム。
【請求項５】
ユーザが移動した移動経路に関する情報を含むログ情報を取得するログ情報取得手段と、
前記ログ情報として前記移動経路を描画した地図画像を公開する情報公開手段と、
前記情報公開手段により公開された前記ログ情報の閲覧を希望するユーザである閲覧ユーザの情報を取得する閲覧ユーザ情報取得手段と、
前記閲覧ユーザ情報取得手段により取得された前記閲覧ユーザに関する情報に基づいて、前記閲覧ユーザが前記ログ情報の閲覧を制限するユーザに該当するか否か判定する制限判定手段と、
前記制限判定手段によって前記閲覧ユーザが前記ログ情報の閲覧を制限するユーザに該当すると判定された場合に、地図の縮尺制限を設定する制限設定手段と、を有し、
前記情報公開手段は、前記閲覧ユーザに対して前記制限設定手段により設定された縮尺制限内の縮尺率で前記地図画像を公開することを特徴とするログ情報公開装置。
【請求項６】
ユーザが移動した移動経路に関する情報を含むログ情報を取得するログ情報取得ステップと、
前記ログ情報として前記移動経路を描画した地図画像を公開する情報公開ステップと、
前記情報公開ステップにより公開された前記ログ情報の閲覧を希望するユーザである閲覧ユーザの情報を取得する閲覧ユーザ情報取得ステップと、
前記閲覧ユーザ情報取得ステップにより取得された前記閲覧ユーザに関する情報に基づいて、前記閲覧ユーザが前記ログ情報の閲覧を制限するユーザに該当するか否か判定する制限判定ステップと、
前記制限判定ステップによって前記閲覧ユーザが前記ログ情報の閲覧を制限するユーザに該当すると判定された場合に、地図の縮尺制限を設定する制限設定ステップと、を有し、
前記情報公開ステップは、前記閲覧ユーザに対して前記制限設定ステップにより設定された縮尺制限内の縮尺率で前記地図画像を公開することを特徴とするログ情報公開方法。
【請求項７】
コンピュータに、
ユーザが移動した移動経路に関する情報を含むログ情報を取得するログ情報取得機能と、
前記ログ情報として前記移動経路を描画した地図画像を公開する情報公開機能と、
前記情報公開機能により公開された前記ログ情報の閲覧を希望するユーザである閲覧ユーザの情報を取得する閲覧ユーザ情報取得機能と、
前記閲覧ユーザ情報取得機能により取得された前記閲覧ユーザに関する情報に基づいて、前記閲覧ユーザが前記ログ情報の閲覧を制限するユーザに該当するか否か判定する制限判定機能と、
前記制限判定機能によって前記閲覧ユーザが前記ログ情報の閲覧を制限するユーザに該当すると判定された場合に、地図の縮尺制限を設定する制限設定機能と、を実行させ、
前記情報公開機能は、前記閲覧ユーザに対して前記制限設定機能により設定された縮尺制限内の縮尺率で前記地図画像を公開することを特徴とするコンピュータプログラム。
【発明の詳細な説明】
【技術分野】
【０００１】
本発明は、コンピュータネットワーク上に投稿されたログ情報を公開するログ情報公開システム、ログ情報公開装置、ログ情報公開方法及びコンピュータプログラムに関する。
【背景技術】
【０００２】
近年、端末を介してコンピュータネットワーク上にユーザがログ情報を投稿するとともに、投稿者を含む不特定多数のユーザが投稿されたログ情報を閲覧することが可能なシステムが提供されている。ここで、投稿及び閲覧対象となるログ情報の一つとして、ユーザが車、バイク、自転車、徒歩等によって移動した移動経路に関する情報がある。しかしながら、これらの移動経路には、ユーザの個人情報を特定し得る情報が含まれる場合があった。例えば、移動経路の開始地点、経由地点、終了地点がユーザの自宅、勤務先、知人宅等である場合に、移動経路からそれらの場所が特定される虞がある。
【０００３】
そこで、例えば特開２０１２−３７４０２号公報では、ユーザが作成した出発地から到着地までの経路のコースデータを公開する際において、コースデータにユーザにとってプライベートな地点を出発地、到着地及び経由地に含む場合に、該地点を削除したり、該地点を他の施設に置き換える技術について提案されている。
【先行技術文献】
【特許文献】
【０００４】
【特許文献１】特開２０１２−３７４０２号（第１２頁〜第１３頁、図８）
【発明の概要】
【発明が解決しようとする課題】
【０００５】
しかしながら、上記特許文献１の技術において、プライベートな地点である出発地、到着地又は経由地を削除する手段では、仮に出発地、到着地又は経由地を削除したとしても、残されたコースデータと周辺の地図から削除したプライベートな地点について他のユーザが予測することが可能であり、十分な効果が期待できなかった。一方、プライベートな地点である出発地、到着地又は経由地を他の施設に置き換える手段では、置き換えによってコースの内容が大きく変化する問題があった。その結果、自分が過去に移動した経路を他のユーザに認知させたいという目的や、自分が過去に移動した経路を記録として残したいというユーザ本来の目的を達し得なくなる。
【０００６】
本発明は前記従来における問題点を解消するためになされたものであり、ユーザの移動経路を公開する場合において、公開された移動経路を閲覧するユーザが特定のユーザである場合に、移動経路を描画する地図に縮尺制限を設定することによって、移動経路を投稿したユーザの個人情報を特定することができないように公開することを可能としたログ情報公開システム、ログ情報公開装置、ログ情報公開方法及びコンピュータプログラムを提供することを目的とする。
【課題を解決するための手段】
【０００７】
前記目的を達成するため本願の請求項１に係るログ情報公開システム（１）は、ユーザが移動した移動経路（６１）に関する情報を含むログ情報を取得するログ情報取得手段（１５）と、前記ログ情報として前記移動経路を描画した地図画像（６２）を公開する情報公開手段（１５）と、前記情報公開手段により公開された前記ログ情報の閲覧を希望するユーザである閲覧ユーザの情報を取得する閲覧ユーザ情報取得手段（１５）と、前記閲覧ユーザ情報取得手段により取得された前記閲覧ユーザに関する情報に基づいて、前記閲覧ユーザが前記ログ情報の閲覧を制限するユーザに該当するか否か判定する制限判定手段（１５）と、前記制限判定手段によって前記閲覧ユーザが前記ログ情報の閲覧を制限するユーザに該当すると判定された場合に、地図の縮尺制限を設定する制限設定手段（１５）と、を有し、前記情報公開手段は、前記閲覧ユーザに対して前記制限設定手段により設定された縮尺制限内の縮尺率で前記地図画像を公開することを特徴とする。
【０００８】
また、請求項２に係るログ情報公開システム（１）は、請求項１に記載のログ情報公開システムであって、前記制限設定手段（１５）は、地図の縮尺率の上限を設定し、前記情報公開手段（１５）は、前記制限設定手段により設定された縮尺率の上限以下の縮尺率で前記地図画像（６２）を公開することを特徴とする。
【０００９】
また、請求項３に係るログ情報公開システム（１）は、請求項２に記載のログ情報公開システムであって、前記情報公開手段（１５）は、前記閲覧ユーザから縮尺変更要求があった場合に、要求された地図の縮尺が前記制限設定手段により設定された縮尺率の上限以下である場合には、要求された縮尺で前記地図画像（６２）を公開し、前記閲覧ユーザから縮尺変更要求があった場合に、要求された地図の縮尺が前記制限設定手段により設定された縮尺率の上限より大きい場合には、前記縮尺率の上限の縮尺で前記地図画像を公開することを特徴とする。
【００１０】
また、請求項４に係るログ情報公開システム（１）は、請求項１乃至請求項３のいずれかに記載のログ情報公開システムであって、前記移動経路（６１）のサイズを取得する経路取得手段（１５）を有し、前記移動経路のサイズが所定サイズ以上である場合には、前記制限設定手段（１５）により地図の縮尺制限を設定し、前記移動経路のサイズが所定サイズ未満である場合には、前記制限設定手段による地図の縮尺制限を設定せずに前記移動経路を変更し、前記ログ情報として変更後の前記移動経路を描画した地図画像を公開することを特徴とする。
尚、「移動経路のサイズ」としては、移動経路の全長、移動経路を囲む多角形の面積、移動経路の両端間の直線距離等が該当する。
【００１１】
また、請求項５に係るログ情報公開装置（３）は、ユーザが移動した移動経路（６１）に関する情報を含むログ情報を取得するログ情報取得手段（１５）と、前記ログ情報として前記移動経路を描画した地図画像（６２）を公開する情報公開手段（１５）と、前記情報公開手段により公開された前記ログ情報の閲覧を希望するユーザである閲覧ユーザの情報を取得する閲覧ユーザ情報取得手段（１５）と、前記閲覧ユーザ情報取得手段により取得された前記閲覧ユーザに関する情報に基づいて、前記閲覧ユーザが前記ログ情報の閲覧を制限するユーザに該当するか否か判定する制限判定手段（１５）と、前記制限判定手段によって前記閲覧ユーザが前記ログ情報の閲覧を制限するユーザに該当すると判定された場合に、地図の縮尺制限を設定する制限設定手段（１５）と、を有し、前記情報公開手段は、前記閲覧ユーザに対して前記制限設定手段により設定された縮尺制限内の縮尺率で前記地図画像を公開することを特徴とする。
【００１２】
また、請求項６に係るログ情報公開方法は、ユーザが移動した移動経路（６１）に関する情報を含むログ情報を取得するログ情報取得ステップと、前記ログ情報として前記移動経路を描画した地図画像（６２）を公開する情報公開ステップと、前記情報公開ステップにより公開された前記ログ情報の閲覧を希望するユーザである閲覧ユーザの情報を取得する閲覧ユーザ情報取得ステップと、前記閲覧ユーザ情報取得ステップにより取得された前記閲覧ユーザに関する情報に基づいて、前記閲覧ユーザが前記ログ情報の閲覧を制限するユーザに該当するか否か判定する制限判定ステップと、前記制限判定ステップによって前記閲覧ユーザが前記ログ情報の閲覧を制限するユーザに該当すると判定された場合に、地図の縮尺制限を設定する制限設定ステップと、を有し、前記情報公開ステップは、前記閲覧ユーザに対して前記制限設定ステップにより設定された縮尺制限内の縮尺率で前記地図画像を公開することを特徴とする。
【００１３】
更に、請求項７に係るコンピュータプログラムは、コンピュータに、ユーザが移動した移動経路（６１）に関する情報を含むログ情報を取得するログ情報取得機能と、前記ログ情報として前記移動経路を描画した地図画像（６２）を公開する情報公開機能と、前記情報公開機能により公開された前記ログ情報の閲覧を希望するユーザである閲覧ユーザの情報を取得する閲覧ユーザ情報取得機能と、前記閲覧ユーザ情報取得機能により取得された前記閲覧ユーザに関する情報に基づいて、前記閲覧ユーザが前記ログ情報の閲覧を制限するユーザに該当するか否か判定する制限判定機能と、前記制限判定機能によって前記閲覧ユーザが前記ログ情報の閲覧を制限するユーザに該当すると判定された場合に、地図の縮尺制限を設定する制限設定機能と、を実行させ、前記情報公開機能は、前記閲覧ユーザに対して前記制限設定機能により設定された縮尺制限内の縮尺率で前記地図画像を公開することを特徴とする。
【発明の効果】
【００１４】
前記構成を有する請求項１に係るログ情報公開システムでは、ユーザの移動経路を公開する場合において、公開された移動経路を閲覧するユーザが特定のユーザである場合に、移動経路を描画する地図に縮尺制限を設定することによって、移動経路を投稿したユーザの個人情報を特定することができないように公開することが可能となる。その結果、ログ情報を公開するユーザの目的を達成させつつ、投稿するユーザが閲覧させることを希望しないユーザに対しては公開を制限できるので、不特定多数のユーザに対して移動経路を投稿したユーザの個人情報が特定されることを防止できる。
【００１５】
また、請求項２に係るログ情報公開システムでは、ユーザの移動経路を公開する場合において、公開された移動経路を閲覧するユーザが特定のユーザである場合に、設定された縮尺率の上限以下の縮尺率で地図画像を公開するので、不特定多数のユーザが移動経路の開始地点、経由地点、終了地点に相当する地点や施設を具体的に特定することを防止できる。
【００１６】
また、請求項３に係るログ情報公開システムでは、公開された移動経路を閲覧するユーザから縮尺変更要求があった場合に、要求された地図の縮尺が設定された縮尺率の上限以下である場合には、要求された縮尺で地図画像を公開し、要求された地図の縮尺が設定された縮尺率の上限より大きい場合には、該上限の縮尺で地図画像を公開するので、移動経路が描画された地図画像を閲覧したユーザが、地図の縮尺の変更を要求した場合であっても、設定された縮尺率の上限以下の縮尺率でのみ地図画像を公開することが可能となる。従って、不特定多数のユーザが移動経路の開始地点、経由地点、終了地点に相当する地点や施設を具体的に特定することを防止できる。
【００１７】
また、請求項４に係るログ情報公開システムでは、移動経路のサイズが所定サイズ以上である場合には、地図の縮尺制限を設定し、移動経路のサイズが所定サイズ未満である場合には、地図の縮尺制限を設定せずに移動経路を変更し、変更後の移動経路を描画した地図画像を公開するので、縮尺制限を行った場合に移動経路の全体の把握が困難となる場合には、移動経路自体を変更することによって、ユーザの個人情報を特定することができない経路へと変更することが可能となる。
【００１８】
また、請求項５に係るログ情報公開装置では、ユーザの移動経路を公開する場合において、公開された移動経路を閲覧するユーザが特定のユーザである場合に、移動経路を描画する地図に縮尺制限を設定することによって、移動経路を投稿したユーザの個人情報を特定することができないように公開することが可能となる。その結果、ログ情報を公開するユーザの目的を達成させつつ、投稿するユーザが閲覧させることを希望しないユーザに対しては公開を制限できるので、不特定多数のユーザに対して移動経路を投稿したユーザの個人情報が特定されることを防止できる。
【００１９】
また、請求項６に係るログ情報公開方法では、ユーザの移動経路を公開する場合において、公開された移動経路を閲覧するユーザが特定のユーザである場合に、移動経路を描画する地図に縮尺制限を設定することによって、移動経路を投稿したユーザの個人情報を特定することができないように公開することが可能となる。その結果、ログ情報を公開するユーザの目的を達成させつつ、投稿するユーザが閲覧させることを希望しないユーザに対しては公開を制限できるので、不特定多数のユーザに対して移動経路を投稿したユーザの個人情報が特定されることを防止できる。
【００２０】
更に、請求項７に係るコンピュータプログラムでは、ユーザの移動経路を公開させる場合において、公開された移動経路を閲覧するユーザが特定のユーザである場合に、移動経路を描画する地図に縮尺制限を設定することによって、移動経路を投稿したユーザの個人情報を特定することができないように公開することが可能となる。その結果、ログ情報を公開するユーザの目的を達成させつつ、投稿するユーザが閲覧させることを希望しないユーザに対しては公開を制限できるので、不特定多数のユーザに対して移動経路を投稿したユーザの個人情報が特定されることを防止できる。
【図面の簡単な説明】
【００２１】
【図１】本実施形態に係るログ情報公開システムを示した概略構成図である。
【図２】本実施形態に係るログ情報公開システムの構成を示したブロック図である。
【図３】ログ情報公開サーバにより管理及び公開の対象となるログ情報の一例について示した図である。
【図４】ログ情報ＤＢの記憶領域の一例を示した図である。
【図５】私的領域の一例を示した図である。
【図６】本実施形態に係るログ情報管理処理プログラムのフローチャートである。
【図７】移動経路のサイズの算出方法について説明した図である。
【図８】移動経路のサイズの算出方法について説明した図である。
【図９】本実施形態に係る移動経路変更処理のサブ処理プログラムのフローチャートである。
【図１０】移動経路の一部を含む範囲に私的領域がある場合における移動経路の変更態様を説明した図である。
【図１１】移動経路の全部を含む範囲に私的領域がある場合における移動経路の変更態様を説明した図である。
【図１２】本実施形態に係るログ情報公開処理プログラムのフローチャートである。
【図１３】通信端末のディスプレイにおいて表示されるログ情報の一例を示した図である。
【図１４】本実施形態に係るログ情報縮尺変更処理プログラムのフローチャートである。
【発明を実施するための形態】
【００２２】
以下、本発明に係るログ情報公開システムについて具体化した一実施形態に基づき図面を参照しつつ詳細に説明する。先ず、本実施形態に係るログ情報公開システム１の概略構成について図１及び図２を用いて説明する。図１は本実施形態に係るログ情報公開システム１を示した概略構成図である。図２は本実施形態に係るログ情報公開システム１の構成を示したブロック図である。
【００２３】
図１に示すように、本実施形態に係るログ情報公開システム１は、ログ情報公開センタ２が有するログ情報公開サーバ（ログ情報公開装置）３と、ユーザ４が所有する通信端末５とから基本的に構成されている。尚、通信端末５としては、パーソナルコンピュータ（ＰＣ）、車両に搭載されたナビゲーション装置、携帯電話機、ＰＤＡ、タブレット型端末、スマートフォン等がある。また、ログ情報公開センタ２と通信端末５とは通信ネットワーク網６を介して互いに電子データを送受信可能に構成されている。
【００２４】
ここで、ログ情報公開サーバ３は、通信端末５のユーザ４によってコンピュータネットワーク上に投稿されたログ情報の管理を行うとともに、ユーザ４からログ情報の閲覧の要求を受け付けた場合には、ログ情報を要求のあった通信端末５に配信することによってログ情報の内容をユーザ４に閲覧可能にする（公開する）サーバ装置である。尚、ログ情報公開サーバ３の詳細については後述する。
【００２５】
ここで、本実施形態でログ情報公開サーバ３により管理及び公開の対象となるログ情報としては、ユーザ４が移動した移動経路に関する情報が含まれる。尚、移動経路に関する情報としては、ユーザ４が過去に移動した移動経路について、該移動経路が地図上のどの地点を通過する経路であるかを特定する情報、移動経路の全長、移動経路の標高の推移（高低差）に関する情報等がある。また、ユーザ４による移動経路の移動手段としては、車、バイク、自転車、徒歩等がある。そして、ユーザ４は、自らの移動経路に関する情報を取得するとともに、取得した移動経路に関する情報をログ情報としてログ情報公開サーバ３に投稿することによって、ログ情報公開サーバ３を介してログ情報を公開することが可能となる。尚、移動経路に関する情報の取得方法としては様々な方法があるが、例えば自転車の移動経路に関する情報は自転車に備え付けたサイクルコンピュータによって取得することが可能である。また、ＧＰＳを備えたスマートフォンやナビゲーション装置等によっても取得可能である。図３はログ情報公開サーバ３により管理及び公開の対象となるログ情報の一例について示した図である。
【００２６】
図３に示すように、ログ情報公開サーバ３により管理及び公開の対象となるログ情報には、ユーザの移動経路１０が地図上のどの地点を通過する経路であるかを特定する情報や、移動経路１０の全長、移動経路１０の標高の推移（高低差）に関する情報について含まれる。尚、ログ情報としてはこれらの全ての情報を含む必要はなく、例えば移動経路１０の全長や移動経路１０の標高の推移に関する情報については除いて良い。また、移動経路１０の全長や移動経路１０の標高の推移に関する情報については、投稿された移動経路を構成するリンクや座標点からログ情報公開サーバ３が作成しても良い。また、ログ情報には移動経路１０の開始地点（出発地）１１、経由地点（経由地点がある場合のみ）１２、終了地点（目的地）１３を特定する情報についても含めても良い。そして、ログ情報公開サーバ３は、後述のように投稿者であるユーザ４からログ情報の投稿があった場合には、投稿されたログ情報をＤＢに格納する。その後、ユーザ４からログ情報の閲覧の要求を受け付けた場合には、図３に示す各ログ情報を要求のあった通信端末５に配信し、通信端末５を介して閲覧可能に構成する（公開する）。但し、特定の条件下では後述のように公開に制限が加わるように構成する。
【００２７】
一方、通信端末５は、ユーザ４の移動経路を取得する機能やログ情報を閲覧する為の表示機能を備えた情報通信端末が用いられ、例えばＰＣ、ナビゲーション装置、携帯電話機、ＰＤＡ、タブレット型端末、スマートフォン等が該当する。
【００２８】
また、通信端末５は、送受信回路部（ＲＦ）１４を介して通信ネットワーク網６に接続され、ログ情報公開センタ２と双方向通信可能に構成されている。そして、ログ情報公開センタ２からログ情報を受信した場合には、受信したログ情報の内容（図３参照）を通信端末５のディスプレイ等に表示し、ログ情報の内容をユーザに閲覧可能とする。
【００２９】
また、通信ネットワーク網６は全国各地に配置された多数の基地局と、各基地局を管理及び制御する通信会社とを含み、基地局及び通信会社を有線（光ファイバー、ＩＳＤＮ等）又は無線で互いに接続することにより構成されている。
ここで、基地局は通信端末５との通信をするトランシーバー（送受信機）とアンテナを有する。そして、基地局は通信会社の間で無線通信を行う一方、通信ネットワーク網６の末端となり、基地局の電波が届く範囲（セル）にある通信端末５の通信をログ情報公開センタ２との間で中継する役割を持つ。
【００３０】
続いて、ログ情報公開システム１を構成するログ情報公開サーバ３の構成について図２を用いてより詳細に説明する。ログ情報公開サーバ３は、図２に示すように情報管理ＥＣＵ１５と、情報管理ＥＣＵ１５に接続された情報記録手段としてのログ情報ＤＢ１６及び地図情報ＤＢ１７と、センタ通信装置１８とから基本的に構成されている。
【００３１】
情報管理ＥＣＵ１５は、図２に示すようにログ情報公開サーバ３における各種制御を行う電子制御ユニットである。そして、演算装置及び制御装置としてのＣＰＵ２１、並びにＣＰＵ２１が各種の演算処理を行うに当たってワーキングメモリとして使用されるＲＡＭ２２、各種制御プログラムの他、後述のログ情報管理処理プログラム（図６）、ログ情報公開処理プログラム（図１２）、ログ情報縮尺変更処理プログラム（図１４）等が記憶されたＲＯＭ２３等の内部記憶装置を備えている。尚、情報管理ＥＣＵ１５は、処理アルゴリズムとしての各種手段を構成する。例えば、ログ情報取得手段は、ユーザ４が移動した移動経路に関する情報を含むログ情報を取得する。情報公開手段は、ログ情報として移動経路を地図画像上に描画した画像を公開する。閲覧ユーザ情報取得手段は、情報公開手段により公開されたログ情報の閲覧を希望するユーザである閲覧ユーザの情報を取得する。制限判定手段は、閲覧ユーザに関する情報に基づいて、閲覧ユーザがログ情報の閲覧を制限するユーザに該当するか否か判定する。制限設定手段は、制限判定手段によって閲覧ユーザがログ情報の閲覧を制限するユーザに該当すると判定された場合に、地図の縮尺制限を設定する。経路取得手段は、移動経路のサイズを取得する。
【００３２】
また、ログ情報ＤＢ１６は、ユーザ４から投稿され、公開される対象となるログ情報が記憶される記憶手段である。ここで、本実施形態に係るログ情報は、前記したようにユーザが移動した移動経路に関する情報を含む（図３参照）。図４はログ情報ＤＢ１６の記憶領域の一例を示した図である。
【００３３】
図４に示すように、ログ情報ＤＢ１６にはユーザ４から投稿されたログ情報が、投稿時刻や、投稿したユーザ４を識別する識別ＩＤ（以下、ユーザＩＤという）や、当該ログ情報の自由な閲覧を許可するユーザ４を識別する識別ＩＤ（以下、許可ＩＤという）や、投稿したユーザ４の私的領域とともに格納される。また、後述のように地図の縮尺制限が設定されたログ情報については、縮尺制限が設定された旨についても記憶される。そして、ログ情報ＤＢ１６に格納されたログ情報は、ユーザ４からログ情報の閲覧の要求を受け付けた場合に、要求のあった通信端末５に配信し、通信端末５を介して閲覧可能に構成する（公開する）。但し、縮尺制限が設定されたログ情報については、後述のように許可ＩＤ以外のユーザ４については当該ログ情報の閲覧が制限される。
【００３４】
ここで、許可ＩＤは、ログ情報を投稿したユーザ４によって設定される。例えば、投稿者本人や知人のＩＤ等を設定する。そして、後述のように許可ＩＤのユーザ４については、該当するログ情報を自由に閲覧することが可能となる一方、許可ＩＤ以外のユーザ４については前記したようにログ情報の閲覧が制限される。
【００３５】
また、私的領域は、ログ情報を投稿したユーザ４の個人情報を特定し得る領域であり、予めユーザ４によって個人情報に基づいて設定され、通信端末５に記憶されている。具体的には、図５に示すように、ユーザ４の自宅、職場、知人宅から所定距離以内（例えば１ｋｍ以内）が私的領域２４に設定される。そして、通信端末５からログ情報がログ情報公開サーバ３へと投稿される際には、通信端末５に記憶された私的領域についてもログ情報と併せてログ情報公開サーバ３へと送信される。その結果、情報管理ＥＣＵ１５は、ログ情報の投稿者であるユーザ４の私的領域を把握することが可能となる。尚、私的領域ではなく、自宅、職場、知人宅等の私的領域を形成する地点の座標を通信端末５からログ情報公開サーバ３へと送信し、ログ情報公開サーバ３が送信された地点の座標から私的領域を設定する構成としても良い。また、私的領域は行政区画単位で設定しても良い。
【００３６】
また、地図情報ＤＢ１７は、地図情報が記憶される記憶手段である。ここで、地図情報ＤＢ１７に格納されている地図情報は、道路網を始めとして経路探索及び地図表示に必要な各種情報が記録されており、例えば、道路（リンク）に関するリンクデータ、ノード点に関するノードデータ、施設等の地点に関する地点情報２５、各交差点に関する交差点データ、経路を探索するための探索データ、地点を検索するための検索データ、地点毎の標高を示す標高データ、地図を表示するための地図表示データ等から構成されている。尚、地図情報ＤＢ１７は、定期的に新たな地図情報へと更新される。
【００３７】
ここで、地点情報２５は、一般的な施設の他、駅、市役所、公園、病院等の公共施設に関する情報が記憶される。具体的に地点情報２５は、地点毎に地点名称と位置情報（緯度、経度）とを対応づけた情報からなる。尚、地図情報ＤＢ１７はログ情報公開サーバ３が有するのではなく、外部のサーバが有する構成とし、地点情報２５を外部のサーバから通信によりログ情報公開サーバ３が取得する構成としても良い。
【００３８】
また、センタ通信装置１８は、通信端末５と通信ネットワーク網６を介して通信を行う為の通信装置である。本実施形態では、センタ通信装置１８を介してログ情報を通信端末５との間で送受信する。
【００３９】
続いて、前記構成を有するログ情報公開サーバ３において実行するログ情報管理処理プログラムについて図６に基づき説明する。図６は本実施形態に係るログ情報管理処理プログラムのフローチャートである。ここで、ログ情報管理処理プログラムは通信端末５からログ情報公開サーバ３へとログ情報が投稿された場合に実行され、投稿されたログ情報に含む移動経路に関する情報を、投稿したユーザ４の個人情報が特定できないように管理するプログラムである。尚、以下の図６、図９、図１２及び図１４にフローチャートで示されるプログラムは、ログ情報公開サーバ３が備えるＲＡＭ２２やＲＯＭ２３等に記憶されており、ＣＰＵ２１により実行される。
【００４０】
先ず、ログ情報管理処理プログラムではステップ（以下、Ｓと略記する）１において、ＣＰＵ２１は、通信端末５から投稿されたログ情報を取得する。本実施形態に係るログ情報は、前記したようにユーザが移動した移動経路に関する情報を含む（図３参照）。
【００４１】
次に、Ｓ２においてＣＰＵ２１は、前記Ｓ１で取得されたログ情報に基づいて、ログ情報に含まれる移動経路を地図上に作成する。尚、前記Ｓ１で取得されるログ情報には、移動経路を特定する情報として、移動経路を構成するリンクのリンク番号や、移動経路上の座標点が含まれる。
【００４２】
続いて、Ｓ３においてＣＰＵ２１は、前記Ｓ２で作成された移動経路が、開始地点と終了地点が異なる直線経路であるか否か判定する。
【００４３】
そして、前記Ｓ２で作成された移動経路が直線経路であると判定された場合には、Ｓ４へと移行する。それに対して、前記Ｓ２で作成された移動経路が、開始地点と終了地点が同じとなる周回経路であると判定された場合（Ｓ３：ＮＯ）には、Ｓ５へと移行する。
【００４４】
Ｓ４においてＣＰＵ２１は、移動経路のサイズとして、開始地点から終了地点までの直線距離を算出する。例えば、図７に示すような直線経路である移動経路４０が作成された場合には、開始地点４１から終了地点４２までの直線距離Ｌ１が移動経路４０のサイズとして算出される。尚、直線距離ではなく経路沿いの距離としても良い。その後、Ｓ７へと移行する。
【００４５】
一方、Ｓ５においてＣＰＵ２１は、開始地点（終了地点にも相当）から最も遠方にある移動経路上の地点を特定する。
【００４６】
そして、Ｓ６においてＣＰＵ２１は、移動経路のサイズとして、開始地点（終了地点にも相当）から前記Ｓ５で特定された地点までの直線距離を算出する。例えば、図８に示すような周回経路である移動経路４３が作成された場合には、開始地点（終了地点）４４から最も遠方にある移動経路４０上の地点Ｐが前記Ｓ５で特定され、開始地点（終了地点）４４から地点Ｐまでの直線距離Ｌ２が算出される。尚、直線距離ではなく経路沿いの距離としても良い。
【００４７】
そして、Ｓ７においてＣＰＵ２１は、前記Ｓ４又は前記Ｓ６で算出された距離が所定距離以上か否か、即ち、ログ情報に含まれる移動経路のサイズが所定サイズ以上か否か判定する。尚、所定距離は、移動経路を描画した地図画像を通信端末５のディスプレイで表示する際に、移動経路の全体を表示できる最大の縮尺で表示した状態で、表示された地図画像及び移動経路を視認したユーザが出発地点や終了地点に相当する地点や施設を具体的に特定できない最小の距離とする。また、所定距離はＲＡＭ２２等の記憶手段に記憶される。
【００４８】
そして、前記Ｓ４又は前記Ｓ６で算出された距離が所定距離以上であると判定された場合（Ｓ７：ＹＥＳ）、即ち、移動経路を描画した地図画像を通信端末５のディスプレイで表示する際に、移動経路の全体を表示できる最大の縮尺で表示した状態で、表示された地図画像及び移動経路を視認したユーザが出発地点や終了地点に相当する地点や施設を具体的に特定できないと判定された場合には、移動経路を変更しなくとも移動経路を描画する地図に縮尺制限を設定することによって、ユーザの個人情報を特定することができないように公開することが可能となると推定する。そして、Ｓ８へと移行する。
【００４９】
一方、前記Ｓ４又は前記Ｓ６で算出された距離が所定距離未満であると判定された場合（Ｓ７：ＮＯ）、即ち、移動経路を描画した地図画像を通信端末５のディスプレイで表示する際に、移動経路の全体を表示できる最大の縮尺で表示した状態で、表示された地図画像及び移動経路を視認したユーザが出発地点や終了地点に相当する地点や施設を具体的に特定できると判定された場合には、移動経路を変更しなければユーザの個人情報を特定することができないように公開することができないと推定する。そして、Ｓ９へと移行する。
【００５０】
Ｓ８においてＣＰＵ２１は、地図の縮尺制限を設定する。その結果、後述のように閲覧するユーザ４が自由な閲覧を許可されていないユーザである場合には、移動経路を描画した地図画像を公開する際に、縮尺制限内の縮尺率で地図画像を公開するように構成する（図１２、図１４参照）
【００５１】
一方、Ｓ９においてＣＰＵ２１は、後述の移動経路変更処理（図９）を実行する。ここで、移動経路変更処理は、私的領域内に移動経路が含まれないようにログ情報に含まれる移動経路を変更する処理である。
【００５２】
その後、Ｓ１０においてＣＰＵ２１は、通信端末５から投稿されたログ情報をログ情報ＤＢ１６に格納する。尚、ログ情報ＤＢ１６にはユーザ４から投稿されたログ情報が、投稿時刻や、投稿したユーザ４を識別する識別ＩＤ（ユーザＩＤ）や、当該ログ情報の自由な閲覧を許可するユーザ４を識別する識別ＩＤ（許可ＩＤ）や、投稿したユーザ４の私的領域とともに格納される（図４参照）。尚、ユーザＩＤ、許可ＩＤ、私的領域等はログ情報とともに通信端末５から送信される。また、前記Ｓ８で地図の縮尺制限が設定された場合には、縮尺制限が設定された旨についても記憶される。
【００５３】
次に、前記Ｓ９において実行される移動経路変更処理のサブ処理について図９に基づき説明する。図９は移動経路変更処理のサブ処理プログラムのフローチャートである。
【００５４】
先ず、Ｓ１１においてＣＰＵ２１は、ログ情報とともに通信端末５から送信された投稿者であるユーザ４の私的領域を取得する。前記したように私的領域は、ログ情報を投稿したユーザ４の個人情報を特定し得る領域であり、予めユーザ４によって設定され、通信端末５に記憶されている（図５参照）。例えば、ユーザ４の自宅、職場、知人宅から所定距離以内（例えば１ｋｍ以内）が私的領域に設定される。
【００５５】
続いて、Ｓ１２においてＣＰＵ２１は、前記Ｓ１で取得されたログ情報に含まれる移動経路と、前記Ｓ１１で取得された私的領域とを比較し、私的領域内に移動経路の少なくとも一部が含まれるか否か判定する。
【００５６】
そして、私的領域内に移動経路の少なくとも一部が含まれると判定された場合（Ｓ１２：ＹＥＳ）には、ログ情報に含まれる移動経路がユーザの個人情報を特定し得る経路であると推定し、Ｓ１３へと移行する。それに対して、私的領域内に移動経路が含まれていないと判定された場合（Ｓ１２：ＮＯ）には、ログ情報に含まれる移動経路からユーザの個人情報が特定される虞は無いとして、移動経路の変更を行わすに当該ログ情報管理処理プログラムを終了する。
【００５７】
Ｓ１３においてＣＰＵ２１は、前記Ｓ１で取得されたログ情報に含まれる移動経路と、前記Ｓ１１で取得された私的領域とを比較し、私的領域内に移動経路の全体が含まれるか否か判定する。
【００５８】
そして、私的領域内に移動経路の一部のみ含まれると判定された場合（Ｓ１３：ＮＯ）には、Ｓ１４へと移行する。それに対して、私的領域内に移動経路の全体が含まれると判定された場合（Ｓ１３：ＹＥＳ）には、Ｓ１５へと移行する。
【００５９】
Ｓ１４においてＣＰＵ２１は、私的領域内に移動経路が含まれないようにログ情報に含まれる移動経路の一部を変更する。具体的には、以下の（Ａ）〜（Ｃ）の処理によって移動経路を変更する。
（Ａ）先ず、ＣＰＵ２１は、私的領域の境界線と移動経路が交差する地点（以下、交差地点という）から所定の検索距離以内の私的領域外にある公共施設を検索する。
（Ｂ）次に、ＣＰＵ２１は、交差地点から検索された公共施設までの推奨経路を探索する。
（Ｃ）その後、移動経路の開始地点が私的領域に含まれる場合には、検索された公共施設を開始地点とし、探索された推奨経路を含む経路へと移動経路を変更する。また、移動経路の終了地点が私的領域に含まれる場合には、検索された公共施設を終了地点とし、探索された推奨経路を含む経路へと移動経路を変更する。また、移動経路の開始地点と終了地点の間の経路部分が私的領域に含まれる場合には、検索された公共施設を経由地点とし、探索された推奨経路を含む経路へと移動経路を変更する。尚、経路の全長が変更前後で同等となることが望ましい。
【００６０】
例えば、図１０に示すように移動経路５０の開始地点５１を含む範囲に私的領域５２がある場合であって、交差地点Ａの周辺において公共施設５３が検索された場合には、移動経路を、公共施設５３を開始地点とし、公共施設５３から交差地点Ａまでの推奨経路５４を通り、交差地点Ａから終了地点５５へと至る経路へと変更する。
そして、ＣＰＵ２１は変更された移動経路からはユーザの個人情報が特定される虞は無いと推定し、後述のようにユーザからログ情報の閲覧の要求があった場合には、変更後の移動経路を含むログ情報が公開される。
【００６１】
一方、Ｓ１５においてＣＰＵ２１は、私的領域内に移動経路が含まれないようにログ情報に含まれる移動経路の全部を変更する。具体的には、以下の（Ａ）、（Ｂ）の処理によって移動経路を変更する。
（Ａ）先ず、ＣＰＵ２１は、私的領域外にある公共施設を検索する。
（Ｂ）次に、ＣＰＵ２１は、移動経路の高低差が変更前後で同一又は所定差分以内であって且つ私的領域内に変更後の移動経路が含まれないように、検索された公共施設を開始地点及び終了地点とする経路へと変更する。尚、経路の全長が変更前後で同等となることが望ましい。
【００６２】
例えば、図１１に示すように移動経路５０の全体を含む範囲に私的領域５２がある場合であって、私的領域５２の周辺において公共施設５６、５７が検索された場合には、移動経路を、公共施設５６を開始地点とし、公共施設５７へと至る経路５８へと変更する。
そして、ＣＰＵ２１は変更された移動経路からはユーザの個人情報が特定される虞は無いと推定し、後述のようにユーザからログ情報の閲覧の要求があった場合には、変更後の移動経路を含むログ情報が公開される。
【００６３】
続いて、ログ情報公開サーバ３において実行するログ情報公開処理プログラムについて図１２に基づき説明する。図１２は本実施形態に係るログ情報公開処理プログラムのフローチャートである。ここで、ログ情報公開処理プログラムは通信端末５からログ情報の閲覧要求があった場合に実行され、閲覧要求のあった通信端末５にログ情報を公開するプログラムである。
【００６４】
先ず、Ｓ２１においてＣＰＵ２１は、ログ情報の閲覧を要求するユーザ４（以下、閲覧ユーザという）の通信端末５から送信された閲覧要求と、閲覧ユーザのユーザ情報を受信する。尚、閲覧要求には、ログ情報ＤＢ１６に記憶されたログ情報の内、閲覧を希望するログ情報を特定する識別情報が含まれる。また、閲覧ユーザのユーザ情報には、閲覧ユーザを識別する識別ＩＤが含まれる。
【００６５】
次に、Ｓ２２においてＣＰＵ２１は、前記Ｓ２１で受信した閲覧要求に基づいて、ログ情報ＤＢ１６から閲覧ユーザが閲覧を希望したログ情報を読み出す。また、地図情報ＤＢ１７から地図情報を取得する。
【００６６】
続いて、Ｓ２３においてＣＰＵ２１は、前記Ｓ２２で読み出したログ情報と地図情報に基づいて、ログ情報に含まれる移動経路を描画した地図画像を通信端末５のディスプレイで表示する際に、移動経路の全体を表示できる地図の最大の縮尺（以下、全体表示縮尺という）を特定する。
【００６７】
その後、Ｓ２４においてＣＰＵ２１は、前記Ｓ２２で読み出したログ情報が前記Ｓ８で地図の縮尺制限が設定されたログ情報であるか否かを判定する。
【００６８】
そして、前記Ｓ２２で読み出したログ情報が前記Ｓ８で地図の縮尺制限が設定されたログ情報であると判定された場合（Ｓ２４：ＹＥＳ）には、Ｓ２５へと移行する。それに対して、前記Ｓ２２で読み出したログ情報が前記Ｓ８で地図の縮尺制限が設定されたログ情報でないと判定された場合（Ｓ２４：ＮＯ）には、閲覧ユーザに対してログ情報の閲覧制限を行わないと判定し、Ｓ２８へと移行する。
【００６９】
また、Ｓ２５においてＣＰＵ２１は、閲覧ユーザが当該ログ情報の閲覧を制限するユーザか否か判定する。ここで、閲覧ユーザが当該ログ情報の閲覧を制限するユーザか否かは、ログ情報ＤＢ１６に当該ログ情報とともに対応付けて記憶された許可ＩＤに基づいて判定される。具体的には、閲覧ユーザのＩＤが許可ＩＤに該当しない場合に、閲覧ユーザが当該ログ情報の閲覧を制限するユーザであると判定される。尚、許可ＩＤは、ログ情報を投稿したユーザ４によって設定され、例えば、投稿者本人や知人のＩＤ等が設定される。
【００７０】
そして、閲覧ユーザが当該ログ情報の閲覧を制限するユーザであると判定された場合（Ｓ２５：ＹＥＳ）には、Ｓ２６へと移行する。それに対して、閲覧ユーザが当該ログ情報の閲覧を制限するユーザでないと判定された場合（Ｓ２５：ＮＯ）には、閲覧ユーザに対してログ情報の閲覧制限を行わないと判定し、Ｓ２８へと移行する。
【００７１】
次に、Ｓ２６においてＣＰＵ２１は、前記Ｓ２３で特定された全体表示縮尺が、地図の縮尺制限により設定された縮尺率の上限値（以下、上限縮尺率という）より大きいか否か判定する。ここで、上限縮尺率は、移動経路を描画した地図画像を通信端末５のディスプレイで表示する際に、表示された地図画像及び移動経路を視認したユーザが出発地点や終了地点に相当する地点や施設を具体的に特定できない最大の縮尺率とする。そして、上限縮尺率は固定値（例えば１／１００００）としても良いし、ログ情報毎に異なる値（例えば１／２５００〜１／２５０００）を設定しても良い。尚、上限縮尺率をログ情報毎に設定する場合には、例えばログ情報に含まれる移動経路の全長や形状や移動経路の周辺環境に基づいて設定するのが望ましい。
【００７２】
そして、前記Ｓ２３で特定された全体表示縮尺が上限縮尺率より大きいと判定された場合（Ｓ２６：ＹＥＳ）には、閲覧ユーザに対してログ情報の閲覧制限を行う必要があると判定し、Ｓ２７へと移行する。それに対して、前記Ｓ２３で特定された全体表示縮尺が上限縮尺率以下であると判定された場合（Ｓ２６：ＮＯ）には、閲覧ユーザに対してログ情報の閲覧制限を行う必要が無いと判定し、Ｓ２８へと移行する。
【００７３】
Ｓ２７においてＣＰＵ２１は、閲覧ユーザの通信端末５へ前記Ｓ２２で取得されたログ情報とともに、上限縮尺率の地図画像上にログ情報に含まれる移動経路が描画された画像を送信する。その結果、ログ情報の閲覧を要求した通信端末５のディスプレイにおいて、上記移動経路が描画された地図画像を含むログ情報が表示される（ログ情報がコンピュータネットワーク上で公開される）。
【００７４】
一方、Ｓ２８においてＣＰＵ２１は、閲覧ユーザの通信端末５へ前記Ｓ２２で取得されたログ情報とともに、全体表示縮尺の地図画像上にログ情報に含まれる移動経路が描画された画像を送信する。その結果、ログ情報の閲覧を要求した通信端末５のディスプレイにおいて、上記移動経路が描画された地図画像を含むログ情報が表示される（ログ情報がコンピュータネットワーク上で公開される）。尚、前記Ｓ２７及びＳ２８で公開される対象となるログ情報は、前記Ｓ９の移動経路変更処理を行っている場合には、前記Ｓ９の移動経路変更処理で変更された後の移動経路を含むログ情報となる。
【００７５】
ここで、図１３は通信端末５のディスプレイにおいて表示されるログ情報６０の一例を示した図である。図１３に示すように、通信端末５のディスプレイに表示されるログ情報６０は、投稿者のＩＤ、移動した日時、移動経路６１が描画された地図画像６２、開始地点（出発地）から終了地点（目的地）までの移動経路６１の全長及び移動経路６１の標高の推移６３を示す画像等が含まれる。従って、ログ情報６０を閲覧したユーザは、ＩＤによって特定されるユーザが、何時どのような道をどのように移動したのかを把握することが可能となる。また、ログ情報６０を閲覧したユーザは、移動経路６１の開始地点６４、経由地点（経由地点がある場合のみ）６５、終了地点６６についても特定することが可能となる。但し、上述したようにログ情報に縮尺の制限が設定されており、且つ閲覧ユーザがログ情報の閲覧を制限するユーザである場合には、上限縮尺率以下の縮尺率で地図画像６２が表示されることとなるので、閲覧ユーザは開始地点６４、経由地点６５、終了地点６６に相当する地点や施設を具体的に特定できず、ログ情報を投稿したユーザの個人情報が特定されることを防止できる。
【００７６】
また、地図画像６２上には地図の縮尺率を変更する為の操作アイコン６７、６８についても表示される。そして、地図画像６２が表示された状態で閲覧ユーザが操作アイコン６７、６８を操作すると、後述のように表示された地図画像の縮尺を変更することが可能となる（図１４参照）。但し、ログ情報に縮尺の制限が設定されており、且つ閲覧ユーザがログ情報の閲覧を制限するユーザである場合には、縮尺の変更は上限縮尺率以下の範囲に制限される。
【００７７】
続いて、ログ情報公開サーバ３において実行するログ情報縮尺変更処理プログラムについて図１４に基づき説明する。図１４は本実施形態に係るログ情報縮尺変更処理プログラムのフローチャートである。ここで、ログ情報縮尺変更処理プログラムは通信端末５から閲覧中の移動経路が描画された地図画像の縮尺の変更要求があった場合に実行され、変更要求に応じて地図画像の縮尺を変更するプログラムである。
【００７８】
先ず、Ｓ３１においてＣＰＵ２１は、縮尺変更の変更を要求する閲覧ユーザの通信端末５から送信された縮尺変更要求と、閲覧ユーザのユーザ情報を受信する。尚、閲覧要求には、閲覧ユーザが縮尺の変更を希望するログ情報（即ち、閲覧ユーザが現在閲覧しているログ情報）を特定する識別情報と、変更を希望する縮尺率が含まれる。また、閲覧ユーザのユーザ情報には、閲覧ユーザを識別する識別ＩＤが含まれる。
【００７９】
次に、Ｓ３２においてＣＰＵ２１は、前記Ｓ３１で受信した縮尺変更要求に基づいて、ログ情報ＤＢ１６から閲覧ユーザが縮尺の変更を希望するログ情報を読み出す。また、地図情報ＤＢ１７から地図情報を取得する。
【００８０】
続いて、Ｓ３３においてＣＰＵ２１は、前記Ｓ３２で読み出したログ情報が前記Ｓ８で地図の縮尺制限が設定されたログ情報であるか否かを判定する。
【００８１】
そして、前記Ｓ３２で読み出したログ情報が前記Ｓ８で地図の縮尺制限が設定されたログ情報であると判定された場合（Ｓ３３：ＹＥＳ）には、Ｓ３４へと移行する。それに対して、前記Ｓ３２で読み出したログ情報が前記Ｓ８で地図の縮尺制限が設定されたログ情報でないと判定された場合（Ｓ３３：ＮＯ）には、閲覧ユーザに対してログ情報の閲覧制限を行わないと判定し、Ｓ３７へと移行する。
【００８２】
また、Ｓ３４においてＣＰＵ２１は、閲覧ユーザが当該ログ情報の閲覧を制限するユーザか否か判定する。尚、詳細は前記Ｓ２５と同様であるので省略する。
【００８３】
そして、閲覧ユーザが当該ログ情報の閲覧を制限するユーザであると判定された場合（Ｓ３４：ＹＥＳ）には、Ｓ３５へと移行する。それに対して、閲覧ユーザが当該ログ情報の閲覧を制限するユーザでないと判定された場合（Ｓ３４：ＮＯ）には、閲覧ユーザに対してログ情報の閲覧制限を行わないと判定し、Ｓ３７へと移行する。
【００８４】
次に、Ｓ３５においてＣＰＵ２１は、変更を要求された縮尺率が上限縮尺率より大きいか否か判定する。尚、上限縮尺率は、前記したように移動経路を描画した地図画像を通信端末５のディスプレイで表示する際に、表示された地図画像及び移動経路を視認したユーザが出発地点や終了地点に相当する地点や施設を具体的に特定できない最大の縮尺率である。
【００８５】
そして、変更を要求された縮尺率が上限縮尺率より大きいと判定された場合（Ｓ３５：ＹＥＳ）には、閲覧ユーザに対してログ情報の閲覧制限を行う必要があると判定し、Ｓ３６へと移行する。それに対して、変更を要求された縮尺率が上限縮尺率以下であると判定された場合（Ｓ３５：ＮＯ）には、閲覧ユーザに対してログ情報の閲覧制限を行う必要が無いと判定し、Ｓ３７へと移行する。
【００８６】
Ｓ３６においてＣＰＵ２１は、閲覧ユーザの通信端末５へ上限縮尺率の地図画像上にログ情報に含まれる移動経路が描画された画像を送信する。その結果、ログ情報の閲覧を要求した通信端末５のディスプレイにおいて、上記移動経路が描画された縮尺変更後の地図画像が新たに表示される。
【００８７】
一方、Ｓ３７においてＣＰＵ２１は、閲覧ユーザの通信端末５へ変更を要求された縮尺率の地図画像上にログ情報に含まれる移動経路が描画された画像を送信する。その結果、ログ情報の閲覧を要求した通信端末５のディスプレイにおいて、上記移動経路が描画された縮尺変更後の地図画像が新たに表示される。その結果、閲覧ユーザがログ情報として表示された地図の縮尺をより詳細又は広域の縮尺へと変更することを希望した場合に、それに応じた縮尺率で地図画像を新たに表示させることが可能となる。但し、ログ情報に縮尺の制限が設定されており、且つ閲覧ユーザがログ情報の閲覧を制限するユーザである場合には、閲覧ユーザが地図の縮尺をより詳細な縮尺へと変更することを希望した場合であっても、上限縮尺率以下の縮尺率で地図画像が表示されることとなる。従って、閲覧ユーザは開始地点、経由地点、終了地点に相当する地点や施設を具体的に特定できず、ログ情報を投稿したユーザの個人情報が特定されることを防止できる。
【００８８】
以上詳細に説明した通り、本実施形態に係るログ情報公開システム１、ログ情報公開システム１によるログ情報公開方法及びログ情報公開システム１において実行されるコンピュータプログラムでは、ユーザが移動した移動経路に関する情報を含むログ情報を取得して他のユーザから閲覧可能に公開するとともに（Ｓ１〜Ｓ１０）、公開されたログ情報の閲覧を希望する閲覧ユーザがある場合には、該閲覧ユーザの情報を取得し（Ｓ２１）、閲覧ユーザがログ情報の閲覧を制限するユーザに該当するか否か判定し（Ｓ２５）、閲覧ユーザがログ情報の閲覧を制限するユーザに該当すると判定された場合に、地図の縮尺制限を設定して、閲覧ユーザに対して設定された縮尺制限内の縮尺率で移動経路が描画された地図画像を公開する（Ｓ２７、Ｓ３６）ので、ユーザの移動経路を公開する場合において、公開された移動経路を閲覧するユーザが特定のユーザである場合に、移動経路を描画する地図に縮尺制限を設定することによって、移動経路を投稿したユーザの個人情報を特定することができないように公開することが可能となる。その結果、ログ情報を公開するユーザの目的を達成させつつ、投稿するユーザが閲覧させることを希望しないユーザに対しては公開を制限できるので、不特定多数のユーザに対して移動経路を投稿したユーザの個人情報が特定されることを防止できる。
また、ユーザの移動経路を公開する場合において、公開された移動経路を閲覧するユーザが特定のユーザである場合に、設定された縮尺率の上限以下の縮尺率で地図画像を公開するので、不特定多数のユーザが移動経路の開始地点、経由地点、終了地点に相当する地点や施設を具体的に特定することを防止できる。
また、公開された移動経路を閲覧するユーザから縮尺変更要求があった場合に、要求された地図の縮尺が設定された縮尺率の上限以下である場合には、要求された縮尺で地図画像を公開し、要求された地図の縮尺が設定された縮尺率の上限より大きい場合には、該上限の縮尺で地図画像を公開するので、移動経路が描画された地図画像を閲覧したユーザが、地図の縮尺の変更を要求した場合であっても、設定された縮尺率の上限以下の縮尺率でのみ地図画像を公開することが可能となる。従って、不特定多数のユーザが移動経路の開始地点、経由地点、終了地点に相当する地点や施設を具体的に特定することを防止できる。
また、移動経路のサイズが所定サイズ以上である場合には、地図の縮尺制限を設定し、移動経路のサイズが所定サイズ未満である場合には、地図の縮尺制限を設定せずに移動経路を変更し、変更後の移動経路を描画した地図画像を公開するので、縮尺制限を行った場合に移動経路の全体の把握が困難となる場合には、移動経路自体を変更することによって、ユーザの個人情報を特定することができない経路へと変更することが可能となる。
【００８９】
尚、本発明は前記実施形態に限定されるものではなく、本発明の要旨を逸脱しない範囲内で種々の改良、変形が可能であることは勿論である。
例えば、本実施形態ではログ情報管理処理プログラム（図６）のＳ３〜Ｓ９やログ情報公開処理プログラム（図１２）のＳ２３〜Ｓ２６やログ情報縮尺変更処理プログラム（図１４）のＳ３３〜Ｓ３５の処理をログ情報公開サーバ３が実行する構成としているが、通信端末５やその他のサーバが一部または全部の処理を実行する構成としても良い。
【００９０】
また、本実施形態では、閲覧ユーザがログ情報の閲覧を制限するユーザであるかを判定する為の許可ＩＤを、ログ情報を投稿するユーザが設定することとしているが、ログ情報公開サーバ３が投稿者のユーザ情報に基づいて設定する構成としても良い。
【００９１】
また、本実施形態では、移動経路のサイズとして、移動経路の両端間の直線距離を算出することとしているが、移動経路の全長や移動経路を囲む多角形の面積等により算出しても良い。
【００９２】
また、本実施形態では、移動経路のサイズが所定サイズ以下である場合には縮尺制限を設定するのではなく移動経路を変更する構成としているが、移動経路のサイズが所定サイズ以下であっても移動経路を変更せずに縮尺制限を設定する構成としても良い。
【符号の説明】
【００９３】
１            ログ情報公開システム
２            ログ情報公開センタ
３            ログ情報公開サーバ
４            ユーザ
５            通信端末
１５          情報管理ＥＣＵ
１６          ログ情報ＤＢ
１７          地図情報ＤＢ
２１          ＣＰＵ
２２          ＲＡＭ
２３          ＲＯＭ
２４          私的領域
６０          ログ情報
６１          移動経路
６２          地図画像
【図１】
2014178260.tif 000003
【図２】
2014178260.tif 000004
【図３】
2014178260.tif 000005
【図４】
2014178260.tif 000006
【図５】
2014178260.tif 000007
【図６】
2014178260.tif 000008
【図７】
2014178260.tif 000009
【図８】
2014178260.tif 000010
【図９】
2014178260.tif 000011
【図１０】
2014178260.tif 000012
【図１１】
2014178260.tif 000013
【図１２】
2014178260.tif 000014
【図１３】
2014178260.tif 000015
【図１４】
2014178260.tif 000016